(57)【要約】【課題】コイルと支持部材との接合強度を維持しつつ、スピーカの音特性の調整を可能としたスピーカを提供する。【解決手段】スピーカ１００は、フレーム１と、フレーム１に支持された振動板２と、矩形状に巻回され、振動板２を振動させる角筒状のコイル３と、コイル３を支持し、コイル３の振動を減衰させる一対の支持ダンパ４と、を備え、一対の支持ダンパ４は、コイル３の両側に対向配置されており、支持ダンパ４は、フレーム１に支持される基部４１と、コイル３を支持する支持部４５とを有し、支持部４５は、コイル３の矩形状の一辺の表面に沿い支持する第一支持部と、コイル３の一辺の両隣りの辺の表面に沿いそれぞれ支持する一対の第二支持部と、を有し、一対の第二支持部は、第一支持部の端部からそれぞれ延出している。【選択図】図１
2020195024.tif 000002
【特許請求の範囲】
【請求項１】
環状のフレームと、
前記フレームに支持された振動板と、
矩形状に巻回されて前記フレームの内周側に配置され、前記振動板を振動させる角筒状のコイルと、
前記コイルを支持し、前記コイルの振動を減衰させる一対の支持ダンパと、を備え、
一対の前記支持ダンパは、前記コイルの両側に対向配置されており、
前記支持ダンパは、前記フレームに支持される基部と、前記コイルを支持する支持部とを有し、
前記支持部は、
前記矩形状の一辺の表面に沿い支持する第一支持部と、
前記一辺の両隣りの辺の表面に沿いそれぞれ支持する一対の第二支持部と、を有し、
一対の前記第二支持部は、前記第一支持部の端部からそれぞれ延出しているスピーカ。
【請求項２】
前記振動板は、前記コイルの上面に対向するように配置されており、
前記支持部は、前記コイルの底面を支持する請求項１に記載のスピーカ。
【請求項３】
前記支持部は、さらに前記コイルの筒の外周面と内周面のいずれか一方を支持する周支持部を有する請求項２に記載のスピーカ。
【請求項４】
前記基部と、前記支持部とは、前記コイルの外周面に垂直な方向に沿って見たときに、互いに平行な二平面上にそれぞれ配置されている請求項２又は３に記載のスピーカ。
【請求項５】
一対の前記支持ダンパはそれぞれ、一端が前記基部に接続され、かつ、他端が前記支持部に接続される一対の梁部を有し、
一対の前記梁部の前記他端は、前記第一支持部の長手方向における内側領域にて接続されており、
一対の前記梁部の前記一端は、前記基部における前記第一支持部の長手方向において、前記内側領域の外側にて接続されている請求項１から４のいずれか一項に記載のスピーカ。
【請求項６】
前記梁部は、クランク形状に形成されている請求項５に記載のスピーカ。
【請求項７】
前記基部は、前記第一支持部の長手方向と平行になるように配置され、少なくとも当該長手方向において、当該第一支持部の内側から外側に到る範囲に延在しており、
一対の前記梁部の前記一端は、前記基部における、前記第一支持部の長手方向において前記第一支持部の両端よりも外側に接続されている請求項５又は６に記載のスピーカ。
【請求項８】
前記コイルと前記支持部との間には接着剤が配置され、それぞれ当該接着剤で接着されており、
前記コイルの引出線は、前記コイルと前記支持部との間から引き出されている請求項１から７のいずれか一項に記載のスピーカ。
【請求項９】
前記支持部を前記コイルの上面から底面に向く方向で見た場合、一つの閉じた線分で囲まれた領域のみで形成されている請求項１から８のいずれか一項に記載のスピーカ。
【請求項１０】
前記基部は、前記第一支持部の長手方向における両端に、当該長手方向内側に向けて切欠いた切欠部を有し、当該切欠部を前記フレームに係合させている請求項１から９のいずれか一項に記載のスピーカ。
【発明の詳細な説明】
【技術分野】
【０００１】
本発明は、スピーカに関する。
【背景技術】
【０００２】
特表２０１８−５１２０１４号公報（特許文献１）には、音響電気信号を音響音に変換するスピーカが記載されている。このスピーカは、フレーム、メンブレン（本願の振動板）、メンブレンに接着された矩形状のコイル、及びコイルを支持する支持部材（本願の支持ダンパ）とを備えている。支持部材は、コイルの輪郭と一致する輪郭を有する中央ループ部分もしくはコイル支持部分と、矩形状のコイルのループ部分のある一辺の両端それぞれから外方に延びる一対のリード支持体とを含んでいる。中央ループ部分もしくはコイル支持部分は、コイルに接着剤で取り付けられている。一対の当該リード支持体はフレームに接着剤で取り付けられている（特許文献１の段落００３６，００３７及び図７、段落００４３及び図１０、及び、段落００４７及び図１２等を参照）。
【先行技術文献】
【特許文献】
【０００３】
【特許文献１】特表２０１８−５１２０１４号公報
【発明の概要】
【発明が解決しようとする課題】
【０００４】
上記の特許文献１に記載されたようなスピーカでは、コイルと支持部材との接合強度や、スピーカの音特性を考慮した支持部材の特性（例えば、支持部材の質量）の調整について改良の余地があった。
【０００５】
本発明は、かかる実状に鑑みて為されたものであって、その目的は、コイルと支持部材との接合強度を維持しつつ、スピーカの音特性の調整を可能としたスピーカを提供することにある。 
【課題を解決するための手段】
【０００６】
上記目的を達成するための本発明に係るスピーカの特徴構成は、環状のフレームと、前記フレームに支持された振動板と、矩形状に巻回されて前記フレームの内周側に配置され、前記振動板を振動させる角筒状のコイルと、前記コイルを支持し、前記コイルの振動を減衰させる一対の支持ダンパと、を備え、一対の前記支持ダンパは、前記コイルの両側に対向配置されており、前記支持ダンパは、前記フレームに支持される基部と、前記コイルを支持する支持部とを有し、前記支持部は、前記矩形状の一辺の表面に沿い支持する第一支持部と、前記一辺の両隣りの辺の表面に沿いそれぞれ支持する一対の第二支持部と、を有し、一対の前記第二支持部は、前記第一支持部の端部からそれぞれ延出している点にある。
【０００７】
上記構成によれば、支持ダンパの支持部は、第一支持部によりコイルの一辺を支持し、当該一辺の両隣の辺の一部を第二支持部により支持するため、第一支持部で一辺のみを支持する場合に比べて強固で経時的に安定な支持が可能である。また、支持部がコイルを支持する場合、支持部をコイルに接着などの方法により支持可能に接続することを要するが、当該接続も強固になる。例えば接続が接着などによる貼付の場合、第一支持部のみ貼付する場合に比べて、第一支持部と第二支持部とを貼付けることで接着面の面積を大きくすることができるため剥離強度が向上する。このように上記構成によれば、コイルと支持部材との接合の強度を強固にし、また、これを維持することができる。
【０００８】
上記構成によれば、支持ダンパの支持部とコイルとは一体の振動系（以下、単に振動系と記載する）を構成する。コイルの質量を一定とした場合、この振動系の質量は、第二支持部における、上記両隣の辺の表面に沿う延在長さや面積など、第二支持部の大きさを変更することで調整可能である。すなわち、上記構成によれば、第二支持部の大きさの変更により、振動系の質量調整が可能となる。例えば、振動系の質量を大きくすると、スピーカの低音域の音圧を上げることができる。このように、上記構成によれば、第二支持部の大きさを変更することにより、スピーカの音特性の調整を行える。
【０００９】
本発明に係るスピーカの更なる特徴構成は、前記振動板は、前記コイルの上面に対向するように配置されており、前記支持部は、前記コイルの底面を支持する点にある。
【００１０】
上記構成によれば、支持ダンパの支持部は少なくともコイルの底面を支持する。コイルは、支持部により、コイルの厚み方向への振動の振幅が規制される。以下では、コイルから見て振動板の側を上、その逆を下若しくは底と記載する。例えば、コイルの底面はコイルの下面と同じである。また例えば、支持部は、コイルの下面に対向している。
【００１１】
本発明に係るスピーカの更なる特徴構成は、前記支持部は、さらに前記コイルの筒の外周面と内周面のいずれか一方を支持する周支持部を有する点にある。
【００１２】
上記構成によれば、支持ダンパの支持部は、コイルの底面に加えて、周支持部によりコイルの筒の外周面もしくは内周面を支持する。これにより、支持部によるコイルの支持が強固になる。また、コイルと支持部材との接続の強度を強固にできる。
【００１３】
本発明に係るスピーカの更なる特徴構成は、前記基部と、前記支持部とは、前記コイルの外周面に垂直な方向に沿って見たときに、互いに平行な二平面上にそれぞれ配置されている点にある。
【００１４】
上記構成によれば、基部と支持部との上下方向における位置関係を、互いに異なる位置に設定できる。基部と支持部との上下方向における位置関係の調節により、コイルの振幅を調整できる。
【００１５】
本発明に係るスピーカの更なる特徴構成は、一対の前記支持ダンパはそれぞれ、一端が前記基部に接続され、かつ、他端が前記支持部に接続される一対の梁部を有し、一対の前記梁部の前記他端は、前記第一支持部の長手方向における内側領域にて接続されており、一対の前記梁部の前記一端は、前記基部における前記第一支持部の長手方向において、前記内側領域の外側にて接続されている点にある。
【００１６】
上記構成によれば、他端から一端に向かう方向を、第一支持部の長手方向と直交する向きから、当該長手方向外側に向く方向へずらすことができる。これにより、基部と第一支持部との間の最短距離（直線距離）が短い場合でも、基部と第一支持部との間に延在する梁部の長さを長くすることができる。梁部の長さを長くすることで、コイルの振幅が大きくなることを許容することができる。
【００１７】
本発明に係るスピーカの更なる特徴構成は、前記梁部は、クランク形状に形成されている点にある。
【００１８】
上記構成によれば、梁部をクランク形状にすることで梁部の長さを長くすることができる。これにより、コイルの振幅が大きくなることを許容することができる。
【００１９】
本発明に係るスピーカの更なる特徴構成は、前記基部は、前記第一支持部の長手方向と平行になるように配置され、少なくとも当該長手方向において、当該第一支持部の内側から外側に到る範囲に延在しており、一対の前記梁部の前記一端は、前記基部における、前記第一支持部の長手方向において前記第一支持部の両端よりも外側に接続されている点にある。
【００２０】
上記構成によれば、梁部の一端は第一支持部の長手方向において第一支持部の両端よりも外側に接続される。また、梁部の他端は、第一支持部の長手方向における内側領域に接続される。そのため、梁部の長さを長くすることができる。
【００２１】
本発明に係るスピーカの更なる特徴構成は、前記コイルと前記支持部との間には接着剤が配置され、それぞれ当該接着剤で接着されており、前記コイルの引出線は、前記コイルと前記支持部との間から引き出されている点にある。
【００２２】
引出線は、コイルに通電するための電線であり、コイルの巻線自体の端部分を延出して構成されている。上記構成によれば、引出線の少なくとも一部が接着剤の層中（コイルと支持部との間）に埋没し、引出線が接着剤によりコイルと支持部との間に固定されるので、コイルの振動等による引出線の破断を防止することができる。また、引出線の基端部が、接着剤の層中に埋没するように構成すると、基端部も接着剤で補強される。これにより、コイルの振動により引出線の基端部が断裂するような故障を防止できる。
【００２３】
本発明に係るスピーカの更なる特徴構成は、前記支持部を前記コイルの上面から底面に向く方向で見た場合、一つの閉じた線分で囲まれた領域のみで形成されている点にある。
【００２４】
上記構成によれば、基材を打ち抜き加工で打ち抜いて形成したり、基材をレーザー切断で切り出したりして支持部を形成する場合に、支持部や基材の残りの主要部分とは独立した破片（切れ端、小片）が生じないため加工性がよい。なお、一つの閉じた線分で囲まれた領域とは、当該領域の形状が一つの閉じた線のみで描くことができる図形状であることを言う。換言すれば、支持部の周（外周）が、一筆書きで描ける形状であることを言う。
【００２５】
本発明に係るスピーカの更なる特徴構成は、前記基部は、前記第一支持部の長手方向における両端に、当該長手方向内側に向けて切欠いた切欠部を有し、当該切欠部を前記フレームに係合させている点にある。
【００２６】
上記構成によれば、支持ダンパに対して第一支持部の長手方向に交差する方向の応力が加えられた場合にも、長手方向に沿う切欠部とフレームとの係合により、当該交差する方向において位置決めされた状態を維持できる。
【発明の効果】
【００２７】
コイルと支持部材との接合強度を維持しつつ、スピーカの音特性の調整を可能としたスピーカを提供することができる。
【図面の簡単な説明】
【００２８】
【図１】は、スピーカの分解斜視図である。
【図２】は、スピーカを斜め上から見た斜視図である。
【図３】は、スピーカのＩＩＩ−ＩＩＩ断面図である。
【図４】は、スピーカを、底板を取り外して斜め下から見た図である。
【図５】は、支持ダンパを上方から見た図である。
【図６】は、第一支持部のＶＩ−ＶＩ断面図である。
【図７】は、第二支持部のＶＩＩ−ＶＩＩ断面図である。
【図８】は、コイルからリード線が分岐する分岐部の補強状態の説明図である。
【図９】は、支持ダンパの別の取付態様を説明する模式図である。
【図１０】は、別の形態の支持ダンパ上方から見た図である。
【図１１】は、さらに別の形態の支持ダンパ上方から見た図である。
【図１２】は、別の形態のスピーカを、底板を取り外して斜め下から見た図である。
【発明を実施するための形態】
【００２９】
図面に基づいて、本発明の実施形態に係るスピーカついて説明する。
【００３０】
〔全体構成〕
図１には、本実施形態にかかるスピーカ１００の分解斜視図を示している。図２には、スピーカ１００の斜視図を示している。図３は、スピーカ１００の断面図を示している。図１に示すように、スピーカ１００は、その各部を支持する矩形状のフレーム１、フレーム１に支持された振動板２、振動板２の片面に接触する状態でフレーム１の内周側に配置された矩形状のコイル３、フレーム１に支持される基部４１と、コイル３の辺に沿いコイル３を支持する支持部４５と、を有する一対の支持ダンパ４，４、及びコイル３に磁力を作用させる磁石Ｍを備えている。以下では、コイル３から見て振動板２の側を上、その逆を下と定義し、コイル３と振動板２の積層方向を上下方向として記載する。（図１から図３参照）
【００３１】
〔各部の構成〕
フレーム１は、ポリフタルアミド樹脂などの樹脂や金属材料で形成された枠体である。フレーム１は、図１、図２に示すように、矩形の環状で板状の枠部１０、枠部１０の二つの長辺の両端部、且つ、環の外周部から下方に延出する四組の柱部１５、枠部１０の四隅、且つ、下面（上下方向で下側に位置する面）から下方に延出する柱状の四本のボス１８を有する。本実施形態では、フレーム１の外周部に、スピーカ１００の外部端子１９が形成されている。
【００３２】
四組の柱部１５の下端には底板７１が装着される。底板７１は、冷間圧延鋼鈑などの金属製の磁性材料（磁性体）で形成されている。底板７１は、図３に示すように、フレーム１と底板７１とで囲われた空間内に、振動板２、コイル３、支持ダンパ４，４、及び磁石Ｍなどが収容される。
【００３３】
ボス１８は、柱の延出方向に交差する断面の形状が円形状である円柱状の部材である。四本のボス１８には、後述するように支持ダンパ４の基部４１が固定される。
【００３４】
振動板２は、スピーカ１００に生じた振動を空気に伝達することで音波を発する薄い板状の部材である。図１、図２に示すように、振動板２は、矩形状の外周フレーム部２１と、外周フレーム部２１の内周側に配置され、例えば上に凸の曲面状で矩形状の可動支持部２２と、可動支持部２２の内周側に配置された矩形状の板面である振動面部２３とを有する。
【００３５】
図１、図３に示すように、振動板２は、フレーム１の枠部１０上に載置された矩形状の支持フレーム７２上に載置されている。支持フレーム７２は、ステンレスなどの金属製の非磁性材料（非磁性体）で形成されている。外周フレーム部２１の下面と支持フレーム７２の上面（上下方向で上側に位置する面）とは、例えば接着剤で接着されている。支持フレーム７２の下面と枠部１０の上面とは、例えば接着剤で接着されている。
【００３６】
振動面部２３は、後述するコイル３から生じた振動エネルギーを空気に伝播することで音波を発する。振動面部２３の上面には、振動板２の振動状態を安定化させるための矩形状の板状のバッフル２９が載置されている。バッフル２９は、振動板２の振動面の質量の調整や制振などの音質調整をするための部材である。
【００３７】
図１、図３に示すように、コイル３は、電線を巻いて矩形状の環（角筒状）とした部材であり、通電の方向と強弱に対応した磁界を発生させる磁界発生機構である。コイル３は、自己が生じた磁界と、後述する磁石Ｍから生じた磁界との相互作用により、通電された電気エネルギーを振動エネルギーに変換することで、自己を上下方向に沿う振幅で振動させる。コイル３はこの振動により振動面部２３を振動させる。
【００３８】
コイル３は、矩形状の環部分である環部３０（図１参照）と、一対のリード線３９，３９（引出線の一例）とを有する。環部３０の環の軸心方向（厚み方向）は上下方向に沿い配置されている。なお、本実施形態において環部３０の環の軸心は、環部３０の環の重心と一致している。環部３０の上面は振動面部２３の下面に接着剤などで接着されている。コイル３が生じた振動エネルギーは、振動面部２３に伝達されて音波に変換される。
【００３９】
リード線３９，３９は、本実施形態では環部３０の下面であって、環部３０の角部から延出している。リード線３９，３９は、コイル３を構成する巻線（電線）自体の端部分である。後述するように、リード線３９，３９のうち環部３０から外れる境界部分である基端部３９ａ（図８参照）には支持部４５が、基端部３９ａを覆うように貼付けられている。
【００４０】
以下では、矩形状の環部３０の内、短辺となる辺を短辺部３１，３１、長辺となる部分を長辺部３２，３２と定義する（図１参照）。つまり、一つの短辺部３１の隣り合う辺は、長辺部３２，３２である。また、短辺部３１に沿う方向と同じ方向を奥行方向と定義し、この奥行方向と同じ方向は単に奥行方向と記載する場合がある。また、長辺部３２に沿う方向と同じ方向を幅方向と定義し、この幅方向と同じ方向は単に幅方向と記載する場合がある。
【００４１】
磁石Ｍは、フェライト磁石などの永久磁石である。磁石Ｍは、磁界をコイル３に作用させる。本実施形態では、磁石Ｍは、コイル３の環部３０の径方向において、環部３０の内側領域に配置される矩形状の板状の第一磁石５１と、環部３０の外側領域に配置され、矩形状の板状の一対の第二磁石６１，６１とを含む。図３に示すように、第一磁石５１及び第二磁石６１，６１は、上下方向において、環部３０よりも下側位置に配置されている。また、第一磁石５１及び第二磁石６１，６１は、底板７１の上面に載置されている。本実施形態では、第一磁石５１及び第二磁石６１，６１は、底板７１の上面に接着剤などで固定されている。
【００４２】
第一磁石５１及び第二磁石６１，６１は、各板面が上下方向に対して交差（例えば直交）するような姿勢で配置されている。第一磁石５１と第二磁石６１，６１とから発生する磁界の向きは逆向きになるように設定されている。例えば、第一磁石５１の上面の磁極はＮ極である場合、第二磁石６１，６１の上面の磁極はＳ極である。この場合、第一磁石５１から生ずる磁界は、上面から環部３０の環の電線の束の外周を通過して、第二磁石６１，６１の上面へ流れるようになっている。本実施形態では、第二磁石６１，６１は、長辺部３２，３２に長軸方向を沿わせて配置されている。
【００４３】
第一磁石５１の上面には矩形状で板状の第一ポールピース５２が載置されている。第一ポールピース５２は、その長手方向を第一磁石５１の長手方向に沿わせて配置されている。第一ポールピース５２における上下方向に交差する面（以下、水平面と記載する）の断面形状は、第一磁石５１の水平面における断面形状と同じ矩形状にされている。第一ポールピース５２は、環部３０の径方向において、環部３０の内側領域に配置されている。第一ポールピース５２は環部３０の内周面から内側に離間して配置されている。第一ポールピース５２は、環部３０の径方向視において、環部３０と一部が重複するように配置されている。第一ポールピース５２の上面は、上下方向において環部３０の上面と下面との間に位置するように配置されている。第一ポールピース５２は、磁性材料（磁性体）で形成されている。第一ポールピース５２は、第一磁石５１から生じた磁界を環部３０に収束させる。
【００４４】
第二磁石６１，６１のそれぞれの上面には矩形状で板状の第二ポールピース６２，６２が載置されている。第二ポールピース６２，６２は、その長手方向を、第二磁石６１，６１の長手方向に沿わせて配置されている。換言すると、第二ポールピース６２，６２は、その長手方向を、長辺部３２，３２に沿わせて配置されている。第二ポールピース６２，６２は、環部３０の外周面から外側に離間して配置されている。第二ポールピース６２，６２は、上下方向視において、第二磁石６１，６１と重複するように配置されている。上下方向視において、第二ポールピース６２，６２の外周は、第二磁石６１，６１の外周の内側領域に位置するようになっている。第二ポールピース６２は、環部３０の径方向視において、長辺部３２，３２（環部３０）と一部が重複するように配置されている。第二ポールピース６２の上面は、上下方向において環部３０の上面と下面との間に位置するように配置されている。第二ポールピース６２は、磁性材料（磁性体）で形成されている。第二ポールピース６２は、第二磁石６１が生じた磁界を環部３０に収束させる。
【００４５】
つまり、第一磁石５１と第二磁石６１，６１とのそれぞれの上端から生ずる磁界は、それぞれ第一ポールピース５２、第二ポールピース６２，６２により収束されて環部３０を通過して流れる。これにより、コイル３に流れる電流が小さくてもコイル３に大きな電磁力を作用させて大きな振動を生じさせることができ、スピーカ１００は、少ない電流で大きな音を発することが可能になる。
【００４６】
図４には、底板７１を除いたスピーカ１００を斜め下から見た斜視図を示している。図４に示すように、支持ダンパ４は、フレーム１に対してコイル３を支持する部材であって、コイル３の振動を吸収する制振機構でもある。支持ダンパ４は、例えば多層ポリイミドなどの高分子フィルム（例えば厚み０．１ｍｍから０．２ｍｍ程度の薄い板、ないし膜状の材料）などの薄板を打ち抜き加工やレーザーで切り出して一体に（一枚の薄い板状）形成されている。支持ダンパ４，４は一対で用いられ、コイル３は、一対の支持ダンパ４，４によりフレーム１に支持される。支持ダンパ４，４は、コイル３の環部３０に対して互いに対向配置されており、本実施形態では、支持ダンパ４，４は、主としてコイル３の短辺部３１，３１を支持するように配置されている。
【００４７】
支持ダンパ４は、図４、図５に示すように、フレーム１（図４参照）に支持される基部４１、コイル３を支持する支持部４５、支持部４５を基部４１に支持する一対の梁部４３を有する。基部４１、梁部４３、及び支持部４５は、幅方向視で重複するように配置されている。すなわち、基部４１、梁部４３、及び支持部４５は、同一平面上にある。
【００４８】
基部４１は、図５に示すように、フレーム１に接着固定されるための支持ダンパ４の根元部分である。基部４１は一体に形成されてもよいが、本実施形態では、一対の基部片４１ａで構成されている。基部片４１ａは、矩形の本体部分の長手方向が奥行方向に沿う方向に配置されており、本実施形態では基部片４１ａの長手方向は奥行方向と平行である。一対の基部片４１ａ，４１ａは、本体部分が、その長手方向において一直線上に沿うように配置されており、基部４１の延在方向は奥行方向と平行である。基部４１の奥行方向おける両端部には、薄板面を貫通する貫通孔４２ａ，４２ａが形成された固定座４２，４２が設けられている。
【００４９】
基部４１は、貫通孔４２ａ，４２ａのそれぞれにボス１８（図４参照）を一つずつ挿通（係合）されて、フレーム１の下面に位置決めされた状態で装着される。また、基部４１は、貫通孔４２ａへのボス１８の係合により、コイル３の振動に伴って支持ダンパ４に幅方向への引っ張り応力が加えられた場合にも、幅方向において位置決めされた状態を維持できる。基部４１は、本実施形態では、基部４１の上面をフレーム１の下面に対して接着剤などで貼付けて固定されている。
【００５０】
支持部４５は、コイル３（図４参照）に接着などの接合により固定され、支持ダンパ４としてコイル３をフレーム１に支持する部材である。支持部４５は、短辺部３１に沿い環部３０（図４参照）を支持する第一支持部４６と、第一支持部４６の両端部のそれぞれから、長辺部３２，３２に沿いそれぞれ延出する一対の第二支持部４７，４７とを有する。本実施形態において第一支持部４６は、支持部４５における直線状に延在している部分であり屈曲している部分を含まない。第二支持部４７，４７は、コイル３の環部３０の形状に合わせて第一支持部４６の両端から湾曲している部分を含む。
【００５１】
第一支持部４６は、コイル３の短辺部３１（図４参照）の延在方向の全範囲にわたり、短辺部３１の表面に沿い、接着剤などで短辺部３１に貼付けられている。第一支持部４６は、短辺部３１の表面に沿うため、奥行方向に沿って延在している。第一支持部４６の奥行方向における両端は、基部４１の奥行方向における両端よりも奥行方向内側に位置している。
【００５２】
第一支持部４６は、図６に示すように、コイル３（図４参照）の短辺部３１の下面（底面）に貼付けられている第一底支持部４６ａと短辺部３１の内周面に貼付けられている第一周支持部４６ｂとを含む。第一底支持部４６ａは、短辺部３１を下面で支持する。第一周支持部４６ｂは短辺部３１を内周面で支持する。第一周支持部４６ｂは、第一支持部４６の内、第一底支持部４６ａを短辺部３１の下面（底面）に貼付けた後、さらに第一支持部４６における環部３０の内側に位置する部分を上方へ折り曲げることにより短辺部３１の内周面に貼付けられている。第一支持部４６と短辺部３１とを、第一底支持部４６ａと第一周支持部４６ｂとで接着することにより、第一支持部４６と短辺部３１との接着ないし固定を強固なものとすることができる。
【００５３】
第二支持部４７，４７は、図５に示すように、第一支持部４６の奥行方向の両端を起点として、長辺部３２，３２の延在方向（幅方向）の一部範囲にわたり、長辺部３２，３２の表面に沿い、接着剤などで貼付けられている。第二支持部４７の延出端部は、他方の（対向配置されている）支持ダンパ４の第二支持部４７の延出端部とは離間している。
【００５４】
第二支持部４７は、図７に示すように、長辺部３２の下面（底面）に貼付けられている第二底支持部４７ａと長辺部３２の内周面に貼付けられている第二周支持部４７ｂとを含む。第二底支持部４７ａは、長辺部３２を下面で支持する。第二周支持部４７ｂは長辺部３２を内周面で支持する。
【００５５】
第二周支持部４７ｂは、第二支持部４７の内、第二底支持部４７ａを長辺部３２の下面（底面）に貼付けた後、さらに第二支持部４７における環部３０の内側に位置する部分を上方へ折り曲げることにより長辺部３２の内周面に貼付けられている。第二支持部４７と長辺部３２とを、第二底支持部４７ａと第二周支持部４７ｂとで接着することにより、第二支持部４７と長辺部３２との接着ないし固定を強固なものとすることができる。
【００５６】
第二支持部４７が幅方向に延在する長さを長くしたり短くすることで、コイル３（図３参照）及び支持部４５の合計重量を大きくしたり小さくしたりする調整が可能となる。コイル３及び支持部４５の合計重量を調整することで、コイル３及び支持部４５の固有振動数を調整し、スピーカ１００の音特性を調節できる。
【００５７】
上述のごとく、図８に示すように、リード線３９が環部３０から外れる境界部分である基端部３９ａには支持部４５が基端部３９ａを覆うように貼付けられている。本実施形態では、たとえば、基端部３９ａを、第二底支持部４７ａと長辺部３２との間に配置して、第二底支持部４７ａと長辺部３２とを貼付ける接着剤Ｃの層中に埋没させている。これにより基端部３９ａが接着剤で補強されため、例えばコイル３の振動により基端部３９ａが断裂するような故障を防止できる。
【００５８】
図５に示すように、梁部４３は、一端Ｐ１がフレーム１に接着固定されている基部片４１ａ（基部４１）と連続しており（接続されており）、他端Ｐ２が第一支持部４６と連続して（接続されて）いる。梁部４３は、一端Ｐ１を固定端とし、他端Ｐ２自由端として、支持部４５を弾性支持することで、支持ダンパ４で支持されたコイル３の振動を吸収する。
【００５９】
本実施形態の梁部４３はクランク形状に形成されており、基部片４１ａと連続する矩形状の第一辺４３ａ、第一支持部４６と連続する矩形状の第三辺４３ｃ、及び、第一辺４３ａと第三辺４３ｃとに連続する矩形状の第二辺４３ｂを含む。第一辺４３ａは、基部片４１ａを起点として、少なくとも幅方向におけるコイル３に近接する側へ延出している。第三辺４３ｃは、第一支持部４６を起点として、少なくとも幅方向におけるコイル３から離間する側へ延出している。本実施形態において、第二辺４３ｂの延在方向は、奥行方向と平行に形成されている。
【００６０】
梁部４３の一端Ｐ１（第一辺４３ａの基部片４１ａ側の端部）は、奥行方向において、第一支持部４６の両端よりも基部４１の外側において基部片４１ａと接続されている。梁部４３の他端Ｐ２（第三辺４３ｃの第一支持部４６側の端部）は、奥行方向における第一支持部４６の内側領域、すなわち、奥行方向における第一支持部４６の両端部を除く、第一支持部４６の中央部と接続されている。これにより、梁部４３の一端Ｐ１から他端Ｐ２までの梁部４３上の距離Ｌ１は、基部４１から第一支持部４６までの幅方向における最短の距離Ｌ２よりも十分に長くすることができる。したがって、コイル３の上下方向における振幅を大きくすることを可能とすることができる。これにより、スピーカ１００の音特性を調節できる。
【００６１】
なお、本実実施形態では、梁部４３をクランク形状とすることで、梁部４３を一端Ｐ１から他端Ｐ２まで直線状に延在させた場合の距離Ｌ３よりもさらに距離Ｌ１を長く確保している。
【００６２】
以上のようにして、コイルと支持部材との接合強度を維持しつつ、スピーカの音特性の調整を可能としたスピーカを提供することができる。
【００６３】
〔別実施形態〕
（１）上記実施形態では、支持部４５は、短辺部３１に沿い環部３０を支持する第一支持部４６と、第一支持部４６の両端部のそれぞれから、長辺部３２，３２に沿いそれぞれ延出する一対の第二支持部４７，４７とを有する場合を説明した。そして、第一支持部４６は、短辺部３１の下面に貼付けられている第一底支持部４６ａを含む場合を説明した。また、第二支持部４７は、長辺部３２の下面に貼付けられている第二底支持部４７ａを含む場合を説明した。さらに、第一底支持部４６ａは、短辺部３１を下面で支持すること、及び、第二底支持部４７ａは、長辺部３２を下面で支持することを説明した。しかし支持部４５の環部３０の支持態様は上記例示に限られない。本実施形態では、支持部４５は、短辺部３１に加えて、少なくとも長辺部３２，３２の一部を支持すればよい。
【００６４】
たとえば、支持部４５は、第一底支持部４６ａと第二底支持部４７ａに代えて、短辺部３１や長辺部３２，３２の上面からそれぞれを支持してもよい。この場合、支持部４５を短辺部３１や長辺部３２，３２の上面に貼付けることができる。
【００６５】
（２）上記実施形態では、支持部４５は、短辺部３１に沿い環部３０を支持する第一支持部４６と、第一支持部４６の両端部のそれぞれから、長辺部３２，３２に沿いそれぞれ延出する一対の第二支持部４７，４７とを有する場合を説明した。そして、第一支持部４６は、短辺部３１の下面に貼付けられている第一底支持部４６ａと、短辺部３１の内周面に貼付けられている第一周支持部４６ｂを含む場合を説明した。また、第二支持部４７は、長辺部３２の下面に貼付けられている第二底支持部４７ａと、長辺部３２の内周面に貼付けられている第二周支持部４７ｂとを含む場合を説明した。そして、第一周支持部４６ｂは短辺部３１を内周面で支持しており、第二周支持部４７ｂは長辺部３２を内周面で支持していることを説明した。しかし、支持部４５の構成は上記態様に限られない。
【００６６】
たとえば、支持部４５は、第一周支持部４６ｂや第二周支持部４７ｂで環部３０の内周面を支持するのに代えて、環部３０の外周面を支持してもよい。この場合、第一周支持部４６ｂや第二周支持部４７ｂを短辺部３１や長辺部３２，３２の外周面に貼付けることができる。
【００６７】
また、支持部４５は、第一周支持部４６ｂと第二周支持部４７ｂとのいずれか一方、もしくは両方が省略されてもよい。
【００６８】
（３）上記実施形態では、支持ダンパ４は、基部４１と支持部４５とを有し、基部４１と支持部４５とは、幅方向視で重複するように配置されている場合を説明したが、支持部４５の態様はこれに限られない。基部４１と支持部４５とは、環部３０の外周面に垂直な方向視（例えば、幅方向視や奥行方向視）で見たときに、互いに平行な二平面上にそれぞれ配置されていてもよい。すなわち、基部４１と支持部４５とが、上下方向において異なる位置に配置されてもよい。図９には、基部４１と支持部４５とが互いに平行な二平面上にそれぞれ配置されており、上下方向において基部４１が支持部４５よりも下方に位置する場合の支持ダンパ４及びその周囲を奥行方向視で見た場合の模式図を示している。このように基部４１と支持部４５との上下方向における位置関係を変更することで、コイル３の振幅を調整できる。
【００６９】
（４）上記実施形態では、梁部４３の一端Ｐ１は、奥行方向において、第一支持部４６の両端よりも基部４１の外側において基部片４１ａと連続している場合を説明した。しかし梁部４３の一端Ｐ１は、奥行方向における、第一支持部４６の両端よりも内側、かつ、第一支持部４６と他端Ｐ２との接続部分の外側と連続していてもよい。
【００７０】
（５）上記実施形態では、梁部４３はクランク形状に形成されている場合を説明した。しかし、梁部４３は一端Ｐ１から他端Ｐ２まで直線状に延在させてもよいし、一つ以上の湾曲部を持たせて曲線状に延在させてもよい。
【００７１】
（６）上記実施形態では、梁部４３はクランク形状に形成されており、基部片４１ａと連続する矩形状の第一辺４３ａ、第一支持部４６と連続する矩形状の第三辺４３ｃ、及び、第一辺４３ａと第三辺４３ｃとに連続する矩形状の第二辺４３ｂを含み、第二辺４３ｂの延在方向は、奥行方向と平行に形成されている場合を説明した。しかし、梁部４３のクランク形状は上記態様に限られない。梁部４３は、図１０に示すように、第二辺４３ｂの延在方向が、第一辺４３ａから第三辺４３ｃに向けて、第一支持部４６から離間するように形成してもよい。このようにすれば、さらに距離Ｌ１を長くすることができる。
【００７２】
（７）上記実施形態では、基部４１の奥行方向おける両端部には、薄板面を貫通する貫通孔４２ａ，４２ａが形成された固定座４２，４２が設けられており、基部４１は、貫通孔４２ａ，４２ａのそれぞれにボス１８を一つずつ挿通されて、フレーム１の下面に位置決めされた状態で装着される場合を例示した。しかし、フレーム１の下面における基部４１の位置決めは、基部４１の薄板面を貫通する貫通孔４２ａにフレーム１のボス１８のような突起部分を貫通（係合）させる場合に限られない。
【００７３】
例えば、図１０、図１１に示すように、基部４１の薄板面を貫通する貫通孔４２ａに代えて、基部４１の奥行方向おける両端部に、奥行方向内側に向けて切欠いた切欠部４２ｂを設けてもよい。この場合、切欠部４２ｂには、フレーム１のボス１８（図４参照）のような突起部分を嵌める（係合させる）ことができる。この場合でも、基部４１は、奥行方向に沿う切欠部４２ｂへのボス１８の係合により、コイル３の振動に伴って支持ダンパ４に幅方向への引っ張り応力が加えられた場合にも、幅方向において位置決めされた状態を維持できる。
【００７４】
貫通孔４２ａに代えて奥行方向内側に凹む切欠部４２ｂを設ける場合、これに加えて、図１２に示すように、フレーム１のボス１８に代えてリブ１８ａを設けてもよい。すなわち、フレーム１の柱部１５の奥行方向の内壁面から、奥行方向に向けて延出するリブ１８ａを設けてフレーム１の構造的な強度を補強しつつ、このリブ１８ａを切欠部４２ｂ（図１１参照）に挿入して（嵌めて）係合させてもよい。この場合でも、基部４１は、切欠部４２ｂへのリブ１８ａの係合により、コイル３の振動に伴って支持ダンパ４に幅方向への引っ張り応力が加えられた場合にも、幅方向において位置決めされた状態を維持できる。
【００７５】
なお、図１０、図１１に示すように、貫通孔４２ａに代えて、切欠部４２ｂを設ける場合は、支持ダンパ４を上方から見た場合、支持ダンパ４は一つの閉じた線分で囲まれた領域のみで形成することができる。この場合、支持ダンパ４を、基材を打ち抜き加工で打ち抜いて形成したり、基材をレーザー切断で切り出したりして支持ダンパ４を形成する場合に、支持ダンパ４や基材の残りの主要部分とは独立した破片（切れ端、小片）が生じないため加工性がよい。たとえば、形成後の支持ダンパ４に破片が付着した場合、エアブローなどによりその破片を除去することを要するため連続生産の障害（スループットの低下）となる場合もある。しかし、破片が生じない場合は、破片を除去する工程を要せず、連続生産のスループットが向上する。
【００７６】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００７７】
本発明は、スピーカに適用できる。
【符号の説明】
【００７８】
１        ：フレーム
２        ：振動板
３        ：コイル
４        ：支持ダンパ
１０      ：枠部
１５      ：柱部
１８      ：ボス
３０      ：環部
３１      ：短辺部
３２      ：長辺部
３９      ：リード線（引出線）
３９ａ    ：分岐部
４１      ：基部
４２      ：固定座
４２ａ    ：貫通孔
４３      ：梁部
４５      ：支持部
４６      ：第一支持部
４６ａ    ：第一底支持部
４６ｂ    ：第一周支持部
４７      ：第二支持部
４７ａ    ：第二底支持部
４７ｂ    ：第二周支持部
１００    ：スピーカ
Ｍ        ：磁石
Ｐ１      ：一端
Ｐ２      ：他端
【図１】
2020195024.tif 000003
【図２】
2020195024.tif 000004
【図３】
2020195024.tif 000005
【図４】
2020195024.tif 000006
【図５】
2020195024.tif 000007
【図６】
2020195024.tif 000008
【図７】
2020195024.tif 000009
【図８】
2020195024.tif 000010
【図９】
2020195024.tif 000011
【図１０】
2020195024.tif 000012
【図１１】
2020195024.tif 000013
【図１２】
2020195024.tif 000014